(57)【要約】【課題】各製造者間の機器互換の可能性、汎用性が高いマルチチャンネルオーディオ再生システム等を提供する。【解決手段】  マルチチャンネルオーディオ再生システムの送信装置１００は、無線通信による伝送されるチャンネルＣ４，Ｃ５の音声信号に、リモコンコード信号Ｓ１を付加重畳して多重化信号を生成し、所定のデジタル変調方式にて変調信号に変換して送信する。受信側では、受信した受信信号から音声信号とリモコンコード信号を分離し、音声信号にリモコンコード信号をデコードして得られた制御信号を作用し制御する。これにより、制御情報として広く使用されているリモコンコード信号Ｓ１をそのまま音声信号に付加し伝送するため、各製造者間の機器互換の可能性、汎用性が高くなることができる。また、送信ユニット１０が脱着可能に形成されるため、送信ユニット１０の互換性を向上することができる。【選択図】        図２
2005039616.tif 000002
【特許請求の範囲】
【請求項１】
３以上の複数チャンネルを有し、そのうち一部のチャンネルの音声信号を有線伝送により出力し、他のチャンネルの音声信号を無線伝送により出力するオーディオ信号送信装置において、
上記複数チャンネルの音声信号を制御するリモコン信号を受信する制御信号受信手段と、
上記制御信号受信手段から出力されるリモコンコード信号に基づいて上記一部のチャンネルの音声信号を制御する制御手段と、
上記他のチャンネルの音声信号に、上記リモコンコード信号を付加重畳して多重化信号を生成する多重化手段と、
上記多重化信号を所定のデジタル変調方式にて変調信号に変換する変調手段と、
上記変調信号を光信号または電磁波信号に変換して空間に送出する送信手段と
を備えることを特徴とするオーディオ信号送信装置。
【請求項２】
上記制御信号受信手段は、
上記一部のチャンネルの音声信号を制御するリモコン信号を受信する第１の制御信号受信手段と、
上記他のチャンネルの音声信号を制御するリモコン信号を受信する第２の制御信号受信手段と
を備えることを特徴とする請求項１に記載のオーディオ信号送信装置。
【請求項３】
無線通信による伝送された音声信号と制御信号が多重化された信号を受信し、該受信信号を再生して出力するオーディオ信号受信装置において、
上記音声信号とリモコンコード信号が多重化された信号を受信する受信手段と、
上記受信手段により受信した受信信号を所定のデジタル変調方式に対応するデジタル復調方式で復調し、再生する復調手段と、
上記復調手段により得られた信号から上記音声信号とリモコンコード信号を分離する信号分離手段と、
上記リモコンコード信号に基づいて上記音声信号を制御する制御手段と
を備えることを特徴とするオーディオ信号受信装置。
【請求項４】
３以上の複数チャンネルを有し、その音声信号の一部のチャンネルの音声信号を有線伝送により出力し、他のチャンネルの音声信号を無線伝送により出力するオーディオ信号送信装置と、無線通信による伝送された上記他のチャンネルの音声信号受信し、該受信信号を再生して出力するオーディオ信号受信装置とを備えるマルチチャンネルオーディオ再生システムにおいて、
上記オーディオ信号送信装置は、
上記複数チャンネルの音声信号を制御するリモコン信号を受信する制御信号受信手段と、
上記制御信号受信手段から出力されるリモコンコード信号に基づいて上記一部のチャンネルの音声信号を制御する制御手段と、
上記他のチャンネルの音声信号に、上記リモコンコード信号を付加重畳して多重化信号を生成する多重化手段と、
上記多重化信号を所定のデジタル変調方式にて変調信号に変換する変調手段と、
上記変調信号を光信号または電磁波信号に変換して空間に送出する送信手段とを備え、
上記オーディオ信号受信装置は、
上記音声信号とリモコンコード信号が多重化された信号を受信する受信手段と、
上記受信手段により受信した受信信号を所定のデジタル変調方式に対応するデジタル復調方式で復調し、再生する復調手段と、
上記復調手段により得られた信号から上記音声信号と上記リモコンコード信号を分離する信号分離手段と、
上記リモコンコード信号に基づいて上記音声信号を制御する制御手段とを備える
ことを特徴とするマルチチャンネルオーディオ再生システム。
【発明の詳細な説明】
【技術分野】
【０００１】
この発明は、複数チャンネルの音声信号を有するオーディオ信号送信装置、オーディオ信号受信装置およびマルチチャンネルオーディオ再生システムに関する。詳しくは、送信側で無線通信による伝送されるチャンネルの音声信号に、リモコンコードを付加重畳して多重化信号を生成し、所定のデジタル変調方式にて変調信号に変換して送信し、受信側で受信した受信信号から音声信号とリモコンコード信号を分離し、このリモコンコード信号に基づいて音声信号を制御することによって、制御情報として広く使用されているリモコンコード信号をそのまま音声信号に付加し伝送するため、各製造者間の機器互換の可能性、汎用性が高くなることができるようにしたマルチチャンネルオーディオ再生システム等に係るものである。
【背景技術】
【０００２】
マルチチャンネルの音声再生が可能な、ＤＶＤビデオやスーパーオーディオＣＤ等の再生メディアの登場によって、従来の２チャンネルステレオを超えた複数個のスピーカーによって音声再生を楽しむ機会が、近年急速に増えてきている。この場合、図６に示すように、マルチチャンネル対応のアンプ２より部屋の各位置に設置されたスピーカ３〜７への配線が必要となる。図６は、有線の接続によるスピーカ３〜７の配置例を示す図である。図６に示すマルチチャンネルオーディオ再生システム１は５チャンネルのオーディオ再生システムである。
【０００３】
図７は、マルチチャンネルオーディオ再生システム１のマルチチャンネル対応のアンプ２の構成例を示す図である。図７に示すように、アンプ２は、ソース部１１と、信号処理部１２と、増幅部１３と、リモコン受光部１４と、制御部１５と、出力端子ＦＬ，ＦＲ，Ｃ，ＳＬ，ＳＲとを備える。
【０００４】
ソース部１１は、マルチチャンネルオーディオの信号入力部で、外部機器からのオーディオ信号を受ける。なお、ＤＶＤプレーヤー等の再生機器が一体化されたようなＡＶシステムでは、ディスク駆動・再生をし、マルチチャンネルオーディオ信号を供給する部分に相当する。
【０００５】
信号処理部１２は、ソース部１１からの音声信号の音量や音質などの調整、切換、効果付加などの処理を行うものである。増幅器１３は、５チャンネル分のアンプであり、出力端子ＦＬ，ＦＲ，Ｃ，ＳＬ，ＳＲに接続される各スピーカを駆動するためのものである。
【０００６】
リモコン受光部１４は、リモコン（リモートコントロール装置）Ｒのコマンダーからの赤外線信号を受信し、それを電気信号に変換し、副搬送波を除去して、機器カテゴリーコード、データコードなどからなるリモコンコード信号Ｓ１を出力する。
【０００７】
制御部１５は、リモコンコード信号Ｓ１をデコードし、マルチチャンネルオーディオ再生システム１に対応したコードのみを抽出し、そして音量や音質調節など音声信号の処理に係わる情報を信号処理部が受けられるデータ形式に変換し制御信号Ｓ２として出力する。
【０００８】
このマルチチャンネルオーディオ再生システム１の場合、リモコンコマンダーからの指令により５チャンネル（Ｃ１〜Ｃ５）の音声信号の音量や音質を同時に調節することが可能となる。
【０００９】
図７に示すマルチチャンネルオーディオ再生システム１の配線の煩雑さを避けるために、スピーカーの一部（例えば後方のスピーカー６，７）への信号伝達をワイヤレス化するシステムも市場に現れている。
【００１０】
一般的に、音声信号を送信装置で空中に送出し、受信装置側でその信号を受け、増幅、スピーカー駆動するシステムにおいて、音声信号レベルのみを伝送すると、その再生のため受信側の増幅器では常に音量最大状態（ゲイン最大）で待機しなくてはならない。ところが増幅器側はゲイン最大なので、相対的なＳ／Ｎは悪化し、特に音声信号レベルが小さい時は再生信号にノイズが目立つことになる。
【００１１】
この不具合を避ける方法は、受信側の増幅器に音量調節器（ボリューム）を設け、適切にゲインをあわせることができる。ただし、上述した複数のスピーカーの一部のみをワイヤレス化したようなシステムの場合、受信側増幅器に設けたボリュームは、送信側本体機器に接続されたスピーカー用ボリュームとは連動しておらず、複数のスピーカー全体の音量調節をするには、複数のボリュームを個別に操作しなくてはならない。
【００１２】
この問題を解決するために、音声信号に加え、受信側の音量情報をまとめて送信し、受信側の増幅器のゲインを調節できる送受信装置が提案されている（例えば、特許文献１および特許文献２参照）。
【００１３】
特許文献１および特許文献２は、いずれも音量調節などの制御情報は送信装置にある制御回路に接続されたキー入力回路によって外部より入力され、そして処理回路処理され、処理された制御信号を音声信号に付加重畳して送信するものである。
【００１４】
一方、オーディオ機器の音量調節の操作手法としては、赤外線を用いたいわゆるワイヤレスリモコンが一般的である。最近のオーディオ・ビデオ機器では、機器本体での操作釦類を最小限に留め、ほとんどの操作機能がリモコンで可能な製品もある。
【００１５】
ワイヤレスリモコンは、各製造業者が定めた機器カテゴリーコード、データコードなど、４０ｋHｚ程度の副搬送波に乗せて赤外線の振幅変調にて送信するもので、広く一般に普及している。製造業者間のリモコン送信では混信、妨害、誤動作等もほとんどなく、技術的に確立されたものである。また、送受信のための、発光・受光素子、送受信ＬＳＩ等も容易に設計・製造でき、安価に入手できるものである。
【００１６】
図８は、マルチチャンネルオーディオ再生システムの他の構成例を示す図である。ここで、後方のスピーカ６，７をワイヤレス化した例である。このマルチチャンネルオーディオ再生システム１Ａは５つのチャンネルを有している。そのうち３つのチャンネルは有線による出力スピーカと接続され、その他の２つのチャンネルは無線通信による音声信号を伝送することが可能である。また、このマルチチャンネルオーディオ再生システム１Ａは、上述したように音量調節等の操作はリモコンで行われる。
【００１７】
図９は、ワイヤレス伝送を用いた送信装置２Ａの構成例を示す図である。この図９において、図７と対応する部分には、同一符号を付し、その詳細説明は省略する。
【００１８】
図９に示すように、送信装置２Ａは、ソース部１１と、信号処理部１２と、増幅部１３と、リモコン受光部１４と、制御部１５と、多重化部１６と、変調部１７と、送出部１８と、出力端子ＦＬ，ＦＲ，Ｃ，ＳＬ，ＳＲとを備える。
【００１９】
信号処理部１２と増幅器１３は、３チャンネル分のアンプであり、ＦＬチャンネル出力、ＦＲチャンネル出力、Ｃチャンネル出力に接続される各スピーカを駆動するためのものである。
【００２０】
多重化部１６は、デジタル信号の処理として２つのチャンネルの音声信号に制御信号を付加重畳する。変調部１７は、多重化部１６からの多重化信号を伝送フォーマットによる周知のデジタル変調方式によって変調する。送出部１８は、変調信号を電気信号から光学的信号に変換し、送出信号として空間に送出する。
【００２１】
図１０は、ワイヤレス伝送を用いた受信装置８の構成例を示す図である。
図１０に示すように、受信装置８は、受信部２１と、復調器２２と、分離部２３と、信号処理部２４と、増幅部２５とを備える。
【００２２】
上述した送信装置２Ａから伝送されてきた光信号は受信部２１で受信され、電気信号に変換される。復調器２２で  伝送フォーマットによる所定のデジタル変調方式に対応するデジタル復調方式で復調し多重化信号を出力する。そして、分離部２３で多重化信号を２つのチャンネルの音声信号と、制御信号Ｓ２とに分離し、出力する。信号処理部２４で音声信号に対し音量や音質調節などの処理を行った後、増幅器２５を介してスピーカ６，７へ出力される。
【００２３】
【特許文献１】特開２０００−１６５９６１号公報（第６，７頁、第２図）
【特許文献２】特開平８−２５６１０４号公報（第４，５頁、第１図）
【発明の開示】
【発明が解決しようとする課題】
【００２４】
上述した図９に示すような送信装置２Ａにおいて、リモコン受光部１４で受信した信号をリモコンコード信号Ｓ１に変換し、そしてデコードして、音声信号の制御に関するもののみを抽出し、かつ音声信号および制御信号を伝送する伝送フォーマットに適合した形式に変換を施した、専用の制御信号として伝送するのが一般的である。
【００２５】
この方法では、リモコンコード信号のデコード、特定の情報の抽出、伝送フォーマット対応のためのデータ形式への変換といった処理の複雑さに加え、伝送フォーマットが同一でもそれに乗せる制御情報として、リモコン情報変換の方式を各製造業者が独自に定めてしまえば、当然各製造業者間での送受信装置に互換性はなくなってしまう。
【００２６】
このように、音声信号およびそれに付加する制御情報の空間伝送フォーマットが確立されても、具体的な制御信号の形式が統一されなければ、各製造業者間での互換が得られ汎用性を高めることは難しく、また広く一般に普及させることも困難である。
【００２７】
つまり、送信装置と受信装置の対応は限定され、各製造業者間の機器互換が取れず、汎用性が低いという問題がある。
【００２８】
そこで、この発明は、制御情報として広く使用されているリモコンコード信号をそのまま音声信号に付加し伝送するで、各製造者間の機器互換の可能性、汎用性が高くなることができるようにしたオーディオ信号送信装置、オーディオ信号受信装置およびマルチチャンネルオーディオ再生システムを提供することを目的とする。
【課題を解決するための手段】
【００２９】
この発明に係るオーディオ信号送信装置は、３以上の複数チャンネルを有し、そのうち一部のチャンネルの音声信号を有線伝送により出力し、他のチャンネルの音声信号を無線伝送により出力するオーディオ信号送信装置において、複数チャンネルの音声信号を制御するリモコン信号を受信する制御信号受信手段と、制御信号受信手段から出力されるリモコンコード信号に基づいて一部のチャンネルの音声信号を制御する制御手段と、他のチャンネルの音声信号に、リモコンコード信号を付加重畳して多重化信号を生成する多重化手段と、多重化信号を所定のデジタル変調方式にて変調信号に変換する変調手段と、変調信号を光信号または電磁波信号に変換して空間に送出する送信手段とを備えるものである。
【００３０】
この発明に係るオーディオ信号受信装置は、無線通信による伝送された音声信号と制御信号が多重化された信号を受信し、該受信信号を再生して出力するオーディオ信号受信装置において、音声信号とリモコンコード信号が多重化された信号を受信する受信手段と、受信手段により受信した受信信号を所定のデジタル変調方式に対応するデジタル復調方式で復調し、再生する復調手段と、この復調手段により得られた信号から音声信号とリモコンコード信号を分離する信号分離手段と、リモコンコード信号に基づいて音声信号を制御する制御手段とを備えるものである。
【００３１】
この発明に係るマルチチャンネルオーディオ再生システムは、３以上の複数チャンネルを有し、その一部のチャンネルの音声信号を有線伝送により出力し、他のチャンネルの音声信号を無線伝送により出力するオーディオ信号送信装置と、無線通信による伝送された上記他のチャンネルの音声信号受信し、該受信信号を再生して出力するオーディオ信号受信装置とを備えるマルチチャンネルオーディオ再生システムにおいて、オーディオ信号送信装置は、複数チャンネルの音声信号を制御するリモコン信号を受信する制御信号受信手段と、制御信号受信手段から出力されるリモコンコード信号に基づいて一部のチャンネルの音声信号を制御する制御手段と、他のチャンネルの音声信号に、リモコンコード信号を付加重畳して多重化信号を生成する多重化手段と、多重化信号を所定のデジタル変調方式にて変調信号に変換する変調手段と、変調信号を光信号または電磁波信号に変換して空間に送出する送信手段とを備え、オーディオ信号受信装置は、音声信号とリモコンコード信号が多重化された信号を受信する受信手段と、受信手段により受信した受信信号を所定のデジタル変調方式に対応するデジタル復調方式で復調し、再生する復調手段と、この復調手段により得られた信号から音声信号とリモコンコード信号を分離する信号分離手段と、リモコンコード信号に基づいて音声信号を制御する制御手段とを備えるものである。
【００３２】
この発明においては、送信装置では、無線通信による伝送されるチャンネルの音声信号に、リモコンコード信号を付加重畳して多重化信号が生成され、この多重化信号は所定のデジタル変調方式にて変調信号に変換され、さらに光（または電磁波）信号に変換されて無線伝送により受信装置に送信される。受信装置では、送信装置からの信号は受信され、この受信信号から音声信号とリモコンコード信号が分離され、得られたリモコンコード信号に基づいて音声信号が制御される。これにより、制御情報として広く使用されているリモコンコード信号をそのまま音声信号に付加し伝送するため、各製造者間の機器互換の可能性、汎用性が高くなることが可能となる。
【発明の効果】
【００３３】
この発明によれば、無線通信による伝送されるチャンネルの音声信号に、リモコンコードを付加重畳して多重化信号を生成し、所定のデジタル変調方式にて変調信号に変換して送信し、受信側で受信した受信信号から音声信号とリモコンコード信号を分離し、このリモコンコード信号に基づいて音声信号を制御するものであり、制御情報として広く使用されているリモコンコード信号をそのまま音声信号に付加し伝送するため、各製造者間の機器互換の可能性、汎用性が高くなることができる。
【００３４】
また、送信、受信の各装置の形状によらず、簡単な構成で、確実性が高く、安価に短期間で開発が可能となる。
【発明を実施するための最良の形態】
【００３５】
以下、この発明の実施の形態のオーディオ信号送信装置、オーディオ信号受信装置およびマルチチャンネルオーディオ再生システムについて説明する。
【実施例１】
【００３６】
図１は、本発明のマルチチャンネルオーディオ再生システム３００の構成例を示す図である。このマルチチャンネルオーディオ再生システム３００は５つのチャンネルを有している。そのうち３つのチャンネルは有線によるスピーカ３，４，５と接続され、その他の２つのチャンネルは無線通信による音声信号を伝送し、スピーカ６，７により出力することが可能である。
【００３７】
図１に示すように、マルチチャンネルオーディオ再生システム３００は、送信装置１００と、受信装置２００と、スピーカ３，４，５，６，７と、リモコンＲとから構成されている。
【００３８】
送信装置１００は、一部のチャンネルに対してオーディオ信号を処理し、増幅してスピーカへ出力し、それ以外のチャンネルに対してオーディオ信号とリモコンコードとを多重化して、変調処理を行った後に光信号として送出することが可能とされる。
【００３９】
図２は、送信装置１００の構成例を示す図である。この送信装置１００は５つのチャンネル（Ｃ１〜Ｃ５）を有している。これらのチャンネルは有線による出力スピーカと接続することができる。また、そのうち３つのチャンネル（Ｃ１〜Ｃ３）は有線による出力スピーカと接続され、その他の２つのチャンネル（Ｃ４，Ｃ５）は無線通信による音声信号を伝送することが可能とされる。
【００４０】
図２に示すように、送信装置１００は、ソース部１１と、信号処理部１２と、増幅部１３と、制御信号受信手段としてのリモコン受光部１４と、制御手段としての制御部１５と、多重化手段としての多重化部１６と、変調手段としての変調部１７と、送信手段としての送出部１８と、出力端子ＦＬ，ＦＲ，Ｃ，ＳＬ，ＳＲとを備える。
【００４１】
ソース部１１は、マルチチャンネルオーディオの信号入力部で、外部機器からのオーディオ信号を受ける。なお、ＤＶＤプレーヤー等の再生機器が一体化されたようなＡＶシステムでは、ディスク駆動・再生をし、マルチチャンネルオーディオ信号を供給する部分に相当する。
【００４２】
信号処理部１２は、ソース部からの音声信号の音量や音質などの調整、切換、効果付加などの処理を行うものである。
【００４３】
増幅器１３は、５チャンネル分のアンプであり、ＦＬチャンネル出力、ＦＲチャンネル出力、Ｃチャンネル出力、ＳＬチャンネル出力、ＳＲチャンネル出力に接続される各スピーカを駆動するためのものである。
【００４４】
リモコン受光部１４は、リモコンのコマンダーからの赤外線信号を受信し、それを電気信号に変換し、副搬送波を除去して、機器カテゴリーコード、データコードなどからなるリモコンコード信号を出力する。リモコンコード信号は一般的に４０ｋＨｚ程度の副搬送波に乗せられ、周波数帯域としては数ｋＨｚ前後の情報であり、周波数帯域幅およそ３ＭＨｚ程度のデジタル変調信号に容易に付加重畳される。
【００４５】
制御部１５は、リモコンコード信号をデコードし、このマルチチャンネルオーディオ再生システムに対応したコードのみを抽出し、そして音量や音質調節など音声信号の処理に係わる情報を信号処理部が受けられるデータ形式に変換し制御信号として出力する。
【００４６】
多重化部１６は、デジタル信号の処理として２つのチャンネルの音声信号にリモコンコード信号を付加重畳する。多重化された信号は、例えば、ヘッダと、リモコンコードと、音声データとから構成される。これに対して、従来の多重化された信号は、ヘッダと、制御データと、音声データとから構成される。
【００４７】
変調部１７では、多重化部１６からの多重化信号を伝送フォーマットによる周知のデジタル変調方式によって変調する。変調信号の周波数帯域幅はおよそ３ＭＨｚである。この変調信号は送出部１８により電気信号から光学的信号に変換され、送出信号として空間に送出される。
【００４８】
上述した多重化部１６と、変調部１７と、送出部１８とは送信ユニット１０を構成する。
【００４９】
送信装置１００において、音声信号を再生する際に、チャンネルＣ４，Ｃ５の音声信号は、多重化部１６でリモコンコード信号Ｓ１と重畳される。多重化部１６で得られた多重化信号は、変調部１７に入力され、変調部１７で変調された後に、送出部１８により光信号に変換されて送信される。
【００５０】
図３は、受信装置２００の構成例を示す図である。図３に示すように、受信装置２００は、受信手段としての受信部２１と、復調手段としての復調器２２と、分離手段としての分離部２３と、信号処理部２４と、増幅器２５と、制御手段としての制御部２６とを備える。
【００５１】
分離部２３は、復調器２２から入力された多重化信号を、２つのチャンネルの音声信号と、音量や音質調節など音声信号の処理に係わるリモコンコード信号とに分離し、信号処理部２４と制御部２６へ出力するようになされている。
【００５２】
受信装置２００において、送信装置１００から伝送されてきた光信号は受信部２１で受信され、電気信号に変換される。復調器２２で  伝送フォーマットによる所定のデジタル変調方式に対応するデジタル復調方式で復調し多重化信号を出力する。そして、分離部２３で復調器２２から入力された多重化信号が２つのチャンネルの音声信号と、制御信号とに分離され、信号処理部２４と制御部２６へ出力される。分離された２チャンネルの音声信号が信号処理部２４で音声信号に対し音量や音質調節などの処理を行った後、増幅器２５を介して出力端子ＳＬ，ＳＲに接続されるスピーカ６，７へ出力される。
【００５３】
上述のように、５つのチャンネルを有するマルチチャンネルオーディオ再生システム３００において、送信装置１００の２つチャンネルＣ４，Ｃ５には、無線送信するための送信ユニット１０が設けられ、送信側で制御情報としてリモコンコード信号というある程度汎用性の高い信号を音声信号に付加して送信し、受信側で受信した信号からリモコンコード信号を分離して、デコード等処理を行った後制御信号として用いる。これにより、送受信装置の汎用性が高めることができる。
【００５４】
なお、送信ユニット１０は独立した一つの筐体内に一体化して構成されるものにしてもよい。この場合、システム構成の自由度が高めることができる。例えば、送信装置１００に他のメーカーの送信ユニット１０を使用し、受信装置２００も異なるメーカーのものを使用することが可能となる。また、従来の有線伝送出力のシステムに送受信装置を追加することで簡単にワイヤレス化することが可能となる。
【実施例２】
【００５５】
実施例２は、上述した実施例１のマルチチャンネルオーディオ再生システム３００において、図４に示すように、送信装置１０１は３つの有線接続チャンネルＣ１，Ｃ２，Ｃ３と２つの無線伝送チャンネルＣ４，Ｃ５を有し、２つの無線伝送チャンネルＣ４，Ｃ５に対応する部分は独立した一つの筐体内に一体化して構成されるものである。
【００５６】
図４は、送信装置１０１の構成例を示す図である。図４に示すように、送信装置１０１は、ソース部１１と、信号処理部１２と、増幅部１３と、制御信号受信手段としてのリモコン受光部１４と、制御手段としての制御部１５と、多重化手段としての多重化部１６と、変調手段としての変調部１７と、送信手段としての送出部１８と、出力端子ＦＬ，ＦＲ，Ｃとを備える。ここで、多重化部１６と、変調部１７と、送出部１８とは送信ユニット１０として形成される。この送信ユニット１０は脱着可能な独立体である。
【００５７】
この場合、受信装置の構成およびスピーカの配置は実施例１と同様である。その詳細説明は省略する。
【００５８】
送信ユニット１０は脱着可能な独立したものにすることにより、システム構成の自由度が高めることができる。例えば、送信装置１０１に他のメーカーの送信ユニット１０を使用し、受信装置２００も異なるメーカーのものを使用することが可能となる。
【実施例３】
【００５９】
実施例３は、上述した実施例１のマルチチャンネルオーディオ再生システム３００において、図５に示すように、送信装置は３つの有線接続チャンネルＣ１，Ｃ２，Ｃ３と２つの無線伝送チャンネルＣ４，Ｃ５を有し、２つの無線伝送チャンネルＣ４，Ｃ５に対応する部分は独立して構成され、さらに３つの有線接続チャンネルと２つの無線伝送チャンネルにそれぞれリモコン受光部１４，１４Ａが設けられるものである。
【００６０】
図５は、送信装置１０２の構成例を示す図である。図５に示すように、送信装置１０１は、ソース部１１と、信号処理部１２と、増幅部１３と、第１の制御信号受信手段としてのリモコン受光部１４と、第２の制御手段としてのリモコン受光部１４Ａと、制御手段としての制御部１５と、多重化手段としての多重化部１６と、変調手段としての変調部１７と、送信手段としての送出部１８と、出力端子ＦＬ，ＦＲ，Ｃとを備える。ここで、多重化部１６と、変調部１７と、送出部１８とは送信ユニット１０Ａとして形成される。この送信ユニット１０Ａは脱着可能な独立体である。また、送信ユニット１０Ａにはリモコン受光部１４Ａが設けられている。このリモコン受光部１４Ａは、リモコン受光部１４と同じリモコンコマンダーからの信号が受けられる。
【００６１】
なお、無線伝送チャンネルＣ４，Ｃ５の音声信号は、アナログ信号の場合は送信装置１０１の本体からのプリアウトやラインアウト信号など、デジタル信号の場合はデジタルオーデイインターフェイス信号など、一般的な接続端子より得られる。
【００６２】
この場合、ユーザのリモコン操作は、リモコン受光部１４，１４Ａで同時に受信される。リモコン受光部１４で受信した赤外線信号はリモコンコード信号Ｓ１に変換され、制御部１５に入力される。制御部１５は、リモコンコード信号Ｓ１をデコードし、このマルチチャンネルオーディオ再生システムに対応したコードのみを抽出し、そして音量や音質調節など音声信号の処理に係わる情報を信号処理部が受けられるデータ形式に変換し制御信号Ｓ２として出力する。また、リモコン受光部１４Ａで受信した赤外線信号はリモコンコード信号Ｓ１に変換され、直接に多重化部１６に入力される。多重化部１６で、デジタル信号の処理としてチャンネルＣ４，Ｃ５の音声信号にリモコンコード信号Ｓ１が付加重畳される。そして、変調部１７でこの多重化信号が伝送フォーマットによる周知のデジタル変調方式によって変調される。この変調信号は送出部１８により電気信号から光学的信号に変換され、送出信号として空間に送出される。
【００６３】
また、受信装置の構成およびスピーカの配置は実施例１と同様である。その詳細説明は省略する。
【００６４】
これにより、送信装置１０１の本体側から送信ユニット１０Ａへリモコンコード信号Ｓ１を伝達する線路は不要となり、かつ一般的な接続端子より音声信号が得られるため、送信ユニット１０Ａの汎用性は高まることができる。
【００６５】
このように本実施の形態においては、送信装置１００（または１０１，１０２）で無線通信による伝送されるチャンネルＣ４，Ｃ５の音声信号に、リモコンコード信号Ｓ１を付加重畳して多重化信号を生成し、所定のデジタル変調方式にて変調信号に変換して送信する。受信装置２００では、受信した受信信号から音声信号とリモコンコード信号Ｓ３を分離し、音声信号にリモコンコード信号Ｓ３をデコードして得られた制御信号Ｓ４を作用し制御する。これにより、制御情報として広く使用されているリモコンコード信号Ｓ１をそのまま音声信号に付加し伝送するため、各製造者間の機器互換の可能性、汎用性が高くなることができる。
【００６６】
また、送信ユニット１０，１０Ａが脱着可能に形成されるため、送信ユニット１０，１０Ａの互換性を向上すると共に、受信装置２００の互換性を向上することができる。
【００６７】
また、リモコンの方式は公知されており、混信、妨害、誤動作等もほとんどなく技術的に確立されたものであるため、制御信号としてリモコンコード信号Ｓ１を利用することは確実性が高い。そして、専用の制御信号に変換し空間伝送するための方式を新たに考案する必要がないことにより、機器の設計開発期間を短縮することができる。
【００６８】
また、リモコンの発光・受光素子や送受信ＬＳＩは安価に求めることができるため、利用者に低価格の機器を提供することが可能となる。
【００６９】
なお、上述実施の形態においては、送信ユニット１０，１０Ａの各構成要素、例えば、リモコン受光部１４Ａ、多重化部１６、変調部１７、送出部１８などが、一つの筐体内に一体化したものであるが、これに限定されるものではない。これらの構成要素の個々または一部が独立して複数の筐体に収まるようにしてもよい。
【００７０】
また、上述実施の形態においては、受信装置１０２の各構成要素、例えば、受信部２１、信号処理部２４、増幅器２５などが一つの筐体内に一体化したものであるが、これに限定されるものではない。これらの構成要素の個々または一部が独立して複数の筐体に収まるようにしてもよい。受信部２１のみが独立しているもの、増幅器２５のみが独立しているもの、さらには外部に接続されるべきスピーカを一体化したものにしてもよい。
【００７１】
また、上述実施の形態においては、後方の２つのスピーカが一つの受信装置１０２と接続するものであるが、これに限定されるものではない。後方の２つのスピーカがそれぞれ増幅器２５などを備える独立した複数の受信装置が同時に存在するようにしてもよい。
【産業上の利用可能性】
【００７２】
以上のように、この発明に係るオーディオ信号送信装置、オーディオ信号受信装置およびマルチチャンネルオーディオ再生システムは、音声信号およびそれに付加する制御情報の空間伝送に係わる送受信装置を有するシステムに適用して好適なものとなる。
【図面の簡単な説明】
【００７３】
【図１】マルチチャンネルオーディオ再生システム３００の構成例を示す図である。
【図２】送信装置１００の構成例を示す図である。
【図３】受信装置２００の構成例を示す図である。
【図４】送信装置１０１の構成例を示す図である。
【図５】送信装置１０２の構成例を示す図である。
【図６】従来のマルチチャンネルオーディオ再生システムの構成例を示す図である。
【図７】マルチチャンネルアンプの構成例を示す図である。
【図８】従来のマルチチャンネルオーディオ再生システムの他の構成例を示す図である。
【図９】従来の送信装置の構成例を示す図である。
【図１０】従来の受信装置の構成例を示す図である。
【符号の説明】
【００７４】
１０，１０Ａ・・・送信ユニット、１１・・・ソース部、１２・・・信号処理部、１３，２５・・・増幅器、１４，１４Ａ・・・リモコン受光部、１５，２６・・・制御部、１６・・・多重化部、１７・・・変調部、１８・・・送出部、２１・・・受信部、２２・・・復調器、２３・・・分離部、２４・・・信号処理部、１００，１０１，１０２・・・送信装置、２００・・・受信装置、３００・・・マルチチャンネルオーディオ再生システム、Ｓ１，Ｓ３・・・リモコンコード信号、Ｓ２，Ｓ４・・・制御信号
【図１】
2005039616.tif 000003
【図２】
2005039616.tif 000004
【図３】
2005039616.tif 000005
【図４】
2005039616.tif 000006
【図５】
2005039616.tif 000007
【図６】
2005039616.tif 000008
【図７】
2005039616.tif 000009
【図８】
2005039616.tif 000010
【図９】
2005039616.tif 000011
【図１０】
2005039616.tif 000012